(57)【要約】【課題】通信モード選択用テーブルの更新を正しく実行し、実際の回線状態に応じた最適なＭＣＳを選択すること。【解決手段】バッファ１０４は、テーブル１４８を更新するために送信するキャリブレーションデータを一時的に格納する。スケジューラ１０６は、複数の通信端末装置から報告された下り回線のＣＩＲに基づいて、送信すべきデータのスケジューリングを行う。また、スケジューラ１０６は、送信すべきデータが無い場合に、バッファ１０４からキャリブレーションデータを送信させる。スケジューラ１０６は、スケジューリングの結果、キャリブレーションデータを送信する場合は、どの通信端末装置にキャリブレーションデータを送信するかを宛先情報生成部１１２へ通知する。【選択図】　　　図１
2004140783.tif 000002
【特許請求の範囲】
【請求項１】
回線状態に応じた通信モードを選択するために通信モード選択用テーブルを用いる無線通信システムにおける送信装置であって、
通信モード選択用テーブルを更新するためのキャリブレーションデータを送信する送信手段と、
送信されたキャリブレーションデータが通信回線上を伝送される際の伝送品質に応じて更新された前記通信モード選択用テーブルに基づき、データを送信するための通信モードを決定する決定手段と、
を有することを特徴とする送信装置。
【請求項２】
前記決定手段は、
キャリブレーションデータが通信回線上を伝送される際の伝送品質を含む情報を受信する受信手段と、
受信された伝送品質を含む情報に基づいて通信モード選択用テーブルを更新する更新手段と、を有し、
更新された通信モード選択用テーブルから実際にデータを送信するための通信モードを決定することを特徴とする請求項１記載の送信装置。
【請求項３】
前記決定手段は、
通信相手局が有する通信モード選択用テーブルであってキャリブレーションデータの伝送品質に基づいて更新される通信モード選択用テーブルから選択された通信モードの候補を含む情報を受信する受信手段、を有し、
受信された通信モード候補から実際にデータを送信するための通信モードを決定することを特徴とする請求項１記載の送信装置。
【請求項４】
前記送信手段は、
空きスロットにキャリブレーションデータを挿入して送信することを特徴とする請求項１記載の送信装置。
【請求項５】
前記送信手段は、
所定数のスロットごとにキャリブレーションデータを挿入して送信することを特徴とする請求項１記載の送信装置。
【請求項６】
前記送信手段は、
自装置と通信を行うすべての通信相手局に対してキャリブレーションデータを送信することを特徴とする請求項１記載の送信装置。
【請求項７】
前記送信手段は、
キャリブレーションデータの送信を要求する通信相手局に対してキャリブレーションデータを送信することを特徴とする請求項１記載の送信装置。
【請求項８】
前記送信手段は、
キャリブレーションデータの送信先を示す宛先情報を送信することを特徴とする請求項１記載の送信装置。
【請求項９】
前記送信手段は、
周期的に通信モードを変更してキャリブレーションデータを送信することを特徴とする請求項１記載の送信装置。
【請求項１０】
前記送信手段は、
通信相手局から要求された通信モードでキャリブレーションデータを送信することを特徴とする請求項１記載の送信装置。
【請求項１１】
前記送信手段は、
キャリブレーションデータを送信する際に、当該キャリブレーションデータの通信モードを通知するための通信モード情報として、キャリブレーションデータを送信する旨の情報を送信することを特徴とする請求項１０記載の送信装置。
【請求項１２】
前記キャリブレーションデータは、
ランダム系列のデータおよび誤り検出符号を含むことを特徴とする請求項１記載の送信装置。
【請求項１３】
前記キャリブレーションデータは、
通信相手局において既知のデータであることを特徴とする請求項１記載の送信装置。
【請求項１４】
前記キャリブレーションデータは、
通信相手局において不要なデータを含むことを特徴とする請求項１記載の送信装置。
【請求項１５】
請求項１から請求項１４のいずれかに記載の送信装置を有することを特徴とする基地局装置。
【請求項１６】
請求項１から請求項１４のいずれかに記載の送信装置を有することを特徴とする通信端末装置。
【請求項１７】
回線状態に応じた通信モードを選択するために通信モード選択用テーブルを用いる無線通信システムにおける通信モード選択用テーブル更新方法であって、
通信モード選択用テーブルを更新するためのキャリブレーションデータを送信するステップと、
送信したキャリブレーションデータが通信回線上を伝送される際の伝送品質に基づいて通信モード選択用テーブルを更新するステップと、
を有することを特徴とする通信モード選択用テーブル更新方法。
【発明の詳細な説明】
【０００１】
【発明の属する技術分野】
本発明は、送信装置および通信モード選択用テーブル更新方法に関する。
【０００２】
【従来の技術】
近年、例えばＨＳＤＰＡ（Ｈｉｇｈ　Ｓｐｅｅｄ　Ｄｏｗｎｌｉｎｋ　Ｐａｃｋｅｔ　Ａｃｃｅｓｓ）において行われるに、回線品質に応じて所望の誤り率を満たしてデータを伝送するために、ＣＩＲ（Ｃａｒｒｉｅｒ　ｔｏ　Ｉｎｔｅｒｆｅｒｅｎｃｅ　Ｒａｔｉｏ：搬送波対干渉波比）などの伝送品質を測定し、測定された伝送品質に基づいて変調方式および誤り符号化方式からなる通信モード（ＭＣＳ：Ｍｏｄｕｌａｔｉｏｎ　Ｃｏｄｉｎｇ　Ｓｃｈｅｍｅｓ）を選択し、選択されたＭＣＳの変調方式および誤り符号化方式でデータを送信する適応変調が検討されている。
【０００３】
ＭＣＳの選択には、あらかじめ決定されている通信モード（ＭＣＳ）選択用テーブル（以下、単に「テーブル」という）が用いられる。テーブルは、例えば図１６（ａ）に示すような、各ＭＣＳごとのＣＩＲなどの伝送品質とパケットエラーレート（ＰＥＲ：Ｐａｃｋｅｔ　Ｅｒｒｏｒ　Ｒａｔｅ）またはビットエラーレート（ＢＥＲ：Ｂｉｔ　Ｅｒｒｏｒ　Ｒａｔｅ）などの誤り率との対応関係から得られる。すなわち、図１６（ａ）において、所望の誤り率Ｒを満たすためには、ＣＩＲが閾値ａ以下であればＭＣＳ１を選択し、ＣＩＲが閾値ａ以上閾値ｂ以下であればＭＣＳ２を選択し、ＣＩＲが閾値ｂ以上閾値ｃ以下であればＭＣＳ３を選択し、ＣＩＲが閾値ｃ以上であればＭＣＳ４を選択する必要がある。したがって、この場合のテーブルは、例えば図１６（ｂ）に示すようになる。
【０００４】
データを送信するために用いるＭＣＳ選択の際には、このテーブルを参照することにより、測定された伝送品質に基づいて所望の誤り率を満たすことができるＭＣＳを選択する。
【０００５】
上述のように、テーブルは、ＭＣＳごとの伝送品質と誤り率との対応関係に基づいているが、例えばＣＩＲ測定回路に誤差が生じて伝送品質を正確に測定できない場合や、伝搬環境の影響が生じた場合は、伝送品質と誤り率との対応関係が実際の伝送品質と誤り率との対応関係からずれてしまうことがある。このため、テーブルが不正確なものとなり、結果として、データ伝送に最適なＭＣＳを選択できないことがある。
【０００６】
このような事態を防ぐため、例えば特許文献１においては、テーブルを正確なものに更新する方法が開示されている。この方法は、受信データの伝送品質を測定し、この伝送品質が所望の伝送品質とずれていることを検出し、ずれが検出されると、伝送品質と誤り率との対応関係を書き換えて、テーブルを更新するものである。
【０００７】
【特許文献１】
特開２００２−６４４２４号公報
【０００８】
【発明が解決しようとする課題】
しかしながら、上述した従来の方法では、受信データの伝送品質に基づいてテーブルの書き換えを行うため、受信されるデータの量が少ない場合は、受信データの伝送品質を正確に測定することができず、テーブルの更新を正しく実行できないことがあるという問題がある。
【０００９】
具体的には、例えば基地局装置が複数の通信端末装置に対してスケジューリングを行ってデータを送信している場合、特定の通信端末装置に対してデータが送信されない時には、その通信端末装置においては伝送品質を測定することができず、当該通信端末装置に対するデータのＭＣＳを選択するためのテーブルを更新することができない。すなわち、例えば図１７に示すように、４つの通信端末装置Ａ〜Ｄに対してスケジューリングを行ってデータが送信される場合、通信端末装置Ｄに対しては、データ１０およびデータ２０が送信される。しかし、データ１０が送信されてからデータ２０が送信されるまでは、通信端末装置Ｄはデータを受信しないため、伝送品質を測定することができない。したがって、この期間は、上記従来の技術のように、所望の伝送品質と実際の伝送品質とのずれを検出することができない。
【００１０】
また、上述したように、テーブルは、ＭＣＳごとのＣＩＲと誤り率との対応関係に基づいているが、特定のＭＣＳでデータが送信される期間が長いと、受信データのＭＣＳは常に同一のものとなり、他のＭＣＳに関するＣＩＲと誤り率との対応関係を更新することができない。
【００１１】
このようにテーブルを更新することができないと、ＣＩＲと誤り率との対応関係がテーブルと実際とでは大きくずれてしまうことがあり、実際の回線状態に応じた最適なＭＣＳを選択することができないという問題がある。
【００１２】
本発明は、かかる点に鑑みてなされたものであり、通信モード選択用テーブルの更新を正しく実行し、実際の回線状態に応じた最適なＭＣＳを選択することができる送信装置および通信モード選択用テーブル更新方法を提供することを目的とする。
【００１３】
【課題を解決するための手段】
本発明の送信装置は、回線状態に応じた通信モードを選択するために通信モード選択用テーブルを用いる無線通信システムにおける送信装置であって、通信モード選択用テーブルを更新するためのキャリブレーションデータを送信する送信手段と、送信されたキャリブレーションデータが通信回線上を伝送される際の伝送品質に応じて更新された前記通信モード選択用テーブルに基づき、データを送信するための通信モードを決定する決定手段と、を有する構成を採る。
【００１４】
この構成によれば、キャリブレーションデータを送信し、キャリブレーションデータが通信回線上を伝送される際の伝送品質に応じて通信モードを決定するため、データが送信されないためにデータの伝送品質を測定できない状態を防ぐことができ、測定されたキャリブレーションデータの伝送品質に基づいて通信モード選択用テーブルの更新を正しく実行し、更新された通信モード選択用テーブルから通信モードを決定し、実際の回線状態に応じた最適な通信モードを選択することができる。
【００１５】
本発明の送信装置は、前記決定手段は、キャリブレーションデータが通信回線上を伝送される際の伝送品質を含む情報を受信する受信手段と、受信された伝送品質を含む情報に基づいて通信モード選択用テーブルを更新する更新手段と、を有し、更新された通信モード選択用テーブルから実際にデータを送信するための通信モードを決定する構成を採る。
【００１６】
この構成によれば、キャリブレーションデータの伝送品質を受信し、それに基づいて通信モード選択用テーブルを更新し、更新された通信モード選択用テーブルから実際にデータを送信するための通信モードを決定するため、データが送信されないためにデータの伝送品質を測定できない状態を防ぐことができ、測定されたキャリブレーションデータの伝送品質に基づいて、送信装置が有する通信モード選択用テーブルの更新を正しく実行し、実際の回線状態に応じた最適なＭＣＳを選択することができる。
【００１７】
本発明の送信装置は、前記決定手段は、通信相手局が有する通信モード選択用テーブルであってキャリブレーションデータの伝送品質に基づいて更新される通信モード選択用テーブルから選択された通信モードの候補を含む情報を受信する受信手段、を有し、受信された通信モード候補から実際にデータを送信するための通信モードを決定する構成を採る。
【００１８】
この構成によれば、キャリブレーションデータの伝送品質に基づいて更新される通信モード選択用テーブルから選択された通信モードの候補を含む情報を受信し、受信された通信モード候補から実際にデータを送信するための通信モードを決定するため、データが送信されないためにデータの伝送品質を測定できない状態を防ぐことができ、測定されたキャリブレーションデータの伝送品質に基づいて、通信相手局が有する通信モード選択用テーブルの更新を正しく実行し、実際の回線状態に応じた最適なＭＣＳを選択することができる。
【００１９】
本発明の送信装置は、前記送信手段は、空きスロットにキャリブレーションデータを挿入して送信する構成を採る。
【００２０】
この構成によれば、空きスロットにキャリブレーションデータを挿入して送信するため、空きスロットを通信モード選択用テーブルの更新のために有効に利用できるとともに、送信装置から一定パワの信号が送信されることになるため、隣接セルに対する干渉量が一定になり、隣接セルにおいて回線品質の予測を正確に行うことができ、安定した通信を行うことができる。
【００２１】
本発明の送信装置は、前記送信手段は、所定数のスロットごとにキャリブレーションデータを挿入して送信する構成を採る。
【００２２】
この構成によれば、所定数のスロットごとにキャリブレーションデータを挿入して送信するため、通信相手局は、周期的にキャリブレーションデータを受信することができ、確実に誤り率を送信装置へ報告することができる。
【００２３】
本発明の送信装置は、前記送信手段は、自装置と通信を行うすべての通信相手局に対してキャリブレーションデータを送信する構成を採る。
【００２４】
この構成によれば、自装置と通信を行うすべての通信相手局に対してキャリブレーションデータを送信するため、各通信相手局に対応する通信モード選択用テーブルを確実に更新することができる。
【００２５】
本発明の送信装置は、前記送信手段は、キャリブレーションデータの送信を要求する通信相手局に対してキャリブレーションデータを送信する構成を採る。
【００２６】
この構成によれば、キャリブレーションデータの送信を要求する通信相手局に対してキャリブレーションデータを送信するため、必要最小限のキャリブレーションデータを送信することになり、キャリブレーションデータによる通信回線の容量への影響を低減することができる。
【００２７】
本発明の送信装置は、前記送信手段は、キャリブレーションデータの送信先を示す宛先情報を送信する構成を採る。
【００２８】
この構成によれば、キャリブレーションデータの送信先を示す宛先情報を送信するため、通信相手局は、自局宛てのキャリブレーションデータを確実に受信することができる。
【００２９】
本発明の送信装置は、前記送信手段は、周期的に通信モードを変更してキャリブレーションデータを送信する構成を採る。
【００３０】
この構成によれば、周期的に通信モードを変更してキャリブレーションデータを送信するため、複数の通信モードの通信モード選択用テーブルを万遍なく更新することができる。
【００３１】
本発明の送信装置は、前記送信手段は、通信相手局から要求された通信モードでキャリブレーションデータを送信する構成を採る。
【００３２】
この構成によれば、通信相手局から要求された通信モードでキャリブレーションデータを送信するため、例えばあまり頻繁に受信されていない通信モードなど、特定の通信モードに関する通信モード選択用テーブルを更新することができる。
【００３３】
本発明の送信装置は、前記送信手段は、キャリブレーションデータを送信する際に、当該キャリブレーションデータの通信モードを通知するための通信モード情報として、キャリブレーションデータを送信する旨の情報を送信する構成を採る。
【００３４】
この構成によれば、通信モード情報としてキャリブレーションデータを送信する旨の情報を送信するため、スループットの向上を図ることができる。
【００３５】
本発明の送信装置は、前記キャリブレーションデータは、ランダム系列のデータおよび誤り検出符号を含む構成を採る。
【００３６】
この構成によれば、キャリブレーションデータがランダム系列のデータおよび誤り検出符号を含むため、キャリブレーションデータの誤り率として、パケットエラーレート（ＰＥＲ）を正しく検出することができる。
【００３７】
本発明の送信装置は、前記キャリブレーションデータは、通信相手局において既知のデータである構成を採る。
【００３８】
この構成によれば、キャリブレーションデータが通信相手局における既知データであるため、キャリブレーションデータの誤り率として、ＰＥＲのみでなく、ビットエラーレート（ＢＥＲ）まで正しく検出することができる。
【００３９】
本発明の送信装置は、前記キャリブレーションデータは、通信相手局において不要なデータを含む構成を採る。
【００４０】
この構成によれば、キャリブレーションデータが通信相手局において必要不可欠ではないデータを含むため、キャリブレーションデータを広告用データとして用いるなど、通信モード選択用テーブルの更新を行うとともに、空きスロットを有効に利用して情報を伝送することができる。
【００４１】
本発明の基地局装置は、上記のいずれかに記載の送信装置を有する構成を採る。
【００４２】
この構成によれば、上記のいずれかに記載の送信装置と同様の作用効果を基地局装置において実現することができる。
【００４３】
本発明の通信端末装置は、上記のいずれかに記載の送信装置を有する構成を採る。
【００４４】
この構成によれば、上記のいずれかに記載の送信装置と同様の作用効果を通信端末装置において実現することができる。
【００４５】
本発明の通信モード選択用テーブル更新方法は、回線状態に応じた通信モードを選択するために通信モード選択用テーブルを用いる無線通信システムにおける通信モード選択用テーブル更新方法であって、通信モード選択用テーブルを更新するためのキャリブレーションデータを送信するステップと、送信したキャリブレーションデータが通信回線上を伝送される際の伝送品質に基づいて通信モード選択用テーブルを更新するステップと、を有するようにした。
【００４６】
この方法によれば、キャリブレーションデータを送信し、キャリブレーションデータが通信回線上を伝送される際の伝送品質に応じて通信モードを決定するため、データが送信されないためにデータの伝送品質を測定できない状態を防ぐことができ、測定されたキャリブレーションデータの伝送品質に基づいて通信モード選択用テーブルの更新を正しく実行し、更新された通信モード選択用テーブルから通信モードを決定し、実際の回線状態に応じた最適な通信モードを選択することができる。
【００４７】
【発明の実施の形態】
本発明の骨子は、基地局装置が通信モード選択用テーブルを更新するためのキャリブレーションデータを送信し、このキャリブレーションデータの誤り率やスループットなどの伝送品質を用いて、通信モード選択用テーブルを更新することである。
【００４８】
以下、本発明の実施の形態について、図面を参照しながら詳細に説明する。なお、以下の説明では、通信モードとしてＭＣＳを例にとって説明する。
【００４９】
（実施の形態１）
図１は、本発明の実施の形態１に係る基地局装置の構成を示すブロック図である。同図に示す基地局装置は、送信部、受信部、およびテーブル更新部から構成されている。
【００５０】
送信部は、バッファ１０２、バッファ１０４、スケジューラ１０６、ＭＣＳ選択部１０８、適応符号化部１１０、宛先情報生成部１１２、変調部１１４、適応変調部１１６、変調部１１８、拡散部１２０、拡散部１２２、拡散部１２４、多重部１２６、および送信ＲＦ（Ｒａｄｉｏ　Ｆｒｅｑｕｅｎｃｙ）部１２８から構成されている。
【００５１】
バッファ１０２は、スケジューラ１０６によるスケジューリングに従ってデータを送信する際に、送信すべきデータを一時的に格納する。バッファ１０４は、後述するテーブル（ＭＣＳ選択用テーブル）１４８を更新するために送信するキャリブレーションデータを一時的に格納する。
【００５２】
スケジューラ１０６は、複数の通信端末装置から報告された下り回線のＣＩＲに基づいて、送信すべきデータのスケジューリングを行う。また、スケジューラ１０６は、送信すべきデータが無い場合に、バッファ１０４からキャリブレーションデータを送信させる。スケジューラ１０６は、スケジューリングの結果、どの通信端末装置にデータを送信するかをＭＣＳ選択部１０８へ通知し、当該通信端末装置宛てのデータを適応符号化部１１０へ出力し、キャリブレーションデータを送信する場合は、どの通信端末装置にキャリブレーションデータを送信するかを宛先情報生成部１１２へ通知する。
【００５３】
ここで、図２を用いてスケジューラ１０６の内部構成について説明する。
【００５４】
図２に示すように、スケジューラ１０６は、バッファ監視部１０６ａおよびスイッチ１０６ｂを有している。バッファ監視部１０６ａは、バッファ１０２を監視し、バッファ１０２に送信データが格納されていない場合に、スイッチ１０６ｂを接続させる。スイッチ１０６ｂは、通常接続されていない状態にあり、バッファ監視部１０６ａによって接続されると、バッファ１０４に格納されているキャリブレーションデータを適応符号化部１１０へ送出するようになっている。
【００５５】
再び図１を参照して、本実施の形態に係る基地局装置の構成を説明する。
【００５６】
ＭＣＳ選択部１０８は、データの送信先となる通信端末装置から報告されたＣＩＲと当該通信端末装置に対応するテーブル１４８（後述）とに基づいて、通信端末装置における誤り率が所望の誤り率となるようなＭＣＳを選択する。また、ＭＣＳ選択部１０８は、キャリブレーションデータが送信される場合、所定の順序でＭＣＳを選択する。ＭＣＳ選択部１０８は、選択したＭＣＳの符号化率および変調方式をそれぞれ適応符号化部１１０および適応変調部１１６へ指示するとともに、当該ＭＣＳを選択した旨を変調部１１４およびテーブル書換部１４６へ通知する。適応符号化部１１０は、ＭＣＳ選択部１０８によって選択されたＭＣＳの符号化率で送信データまたはキャリブレーションデータを誤り符号化する。宛先情報生成部１１２は、スケジューラ１０６から通知されたキャリブレーションデータの宛先に関する情報を生成する。
【００５７】
変調部１１４は、ＭＣＳ選択部１０８によって選択されたＭＣＳに関する情報（以下、「ＭＣＳ情報」という）を変調する。適応変調部１１６は、ＭＣＳ選択部１０８によって選択されたＭＣＳの変調方式で送信データまたはキャリブレーションデータを変調する。変調部１１８は、宛先情報生成部１１２によって生成された宛先情報を変調する。拡散部１２０は、ＭＣＳ情報を拡散する。拡散部１２２は、送信データまたはキャリブレーションデータを拡散する。拡散部１２４は、宛先情報を拡散する。多重部１２６は、ＭＣＳ情報、送信データまたはキャリブレーションデータ、ならびに宛先情報を多重する。送信ＲＦ部１２８は、多重部１２６から出力される多重信号に対して所定の無線送信処理（Ｄ／Ａ変換、アップコンバートなど）を行い、共用器１３０からアンテナを介して送信する。
【００５８】
受信部は、受信ＲＦ部１３２、逆拡散部１３４、逆拡散部１３６、復調部１３８、復調部１４０、ＣＩＲ復号部１４２、および誤り率復号部１４４から構成されている。このうち、逆拡散部１３４、逆拡散部１３６、復調部１３８、復調部１４０、ＣＩＲ復号部１４２、および誤り率復号部１４４は、本実施の形態の基地局装置と通信を行う通信端末装置の数だけ設けられている。
【００５９】
受信ＲＦ部１３２は、アンテナから共用器１３０を介して受信された受信信号に対して所定の無線受信処理（ダウンコンバート、Ａ／Ｄ変換など）を行う。逆拡散部１３４は、受信信号に含まれる、通信端末装置において測定された下り回線のＣＩＲに関する情報を逆拡散する。逆拡散部１３６は、受信信号に含まれる、下り回線を伝送されたデータの誤り率に関する情報を逆拡散する。
【００６０】
復調部１３８は、下り回線のＣＩＲに関する情報を復調する。復調部１４０は、下り回線の誤り率に関する情報を復調する。
【００６１】
ＣＩＲ復号部１４２は、下り回線のＣＩＲに関する情報を復号し、得られたＣＩＲをスケジューラ１０６、ＭＣＳ選択部１０８、およびテーブル書換部１４６へ通知する。誤り率復号部１４４は、下り回線を伝送されたデータの誤り率に関する情報を復号し、得られた誤り率をテーブル書換部１４６へ通知する。
【００６２】
テーブル更新部は、テーブル書換部１４６およびテーブル１４８から構成されている。このうち、テーブル１４８は、本実施の形態の基地局装置と通信を行う通信端末装置の数だけ備えられている。
【００６３】
テーブル書換部１４６は、各通信端末装置に対応する誤り率と所定の閾値とを比較し、比較の結果、テーブル１４８を更新すべき場合、または、キャリブレーションデータのＣＩＲおよび誤り率が報告された場合に、誤り率を報告した通信端末装置に対応するテーブル１４８を書き換える。ここで、テーブル１４８を更新すべき場合としては、例えば、所望の誤り率を満たすことができるＭＣＳをテーブル１４８から選択して送信データを送信したにも拘わらず、実際に通信端末装置から報告された誤り率が所望の誤り率を満たしていない場合などが挙げられる。また、誤り率が所望の誤り率を満たしていないとは、具体的には例えば誤り率が１０％となるようにテーブルを作成したにも拘わらず、実際にデータの送信を行うと、誤り率が１０％より低く例えば１％であったり、逆に誤り率が１０％より高く例えば２０％であったりすることなどである。
【００６４】
また、テーブル１４８の書き換えに際して、テーブル書換部１４６は、ＭＣＳ選択部１０８から通知されたＭＣＳ（すなわち、データ送信に用いられたＭＣＳ）におけるＣＩＲと誤り率の対応関係を、ＣＩＲ復号部１４２によって復号されたＣＩＲおよび誤り率復号部１４４によって復号された誤り率（すなわち、通信端末装置から報告されたＣＩＲおよび誤り率）に基づいて書き換える。
【００６５】
テーブル１４８は、本実施の形態の基地局装置通信を行う通信端末装置ごとに備えられており、従来と同様に、所望の誤り率を満たすことができるＭＣＳをＣＩＲに対応づけて示している。
【００６６】
なお、本実施の形態においては、データの誤り率（例えば、ＰＥＲ、ＢＥＲ、またはフレームエラーレート（ＦＥＲ：Ｆｒａｍｅ　Ｅｒｒｏｒ　Ｒａｔｅ）など）に基づいてテーブル１４８の更新を行うものとしたが、この他にも例えばスループットや遅延など、下り回線におけるデータの伝送品質を示す指標を、所定の閾値と比較した結果に基づいてテーブル１４８を更新するようにしても良い。これらの場合には、スループットや遅延時間などの情報が通信相手局からフィードバックされることにより、テーブル１４８の更新をするか否かが決定される。
【００６７】
次いで、上記のように構成された基地局装置の動作について、図３から図５を用いて具体的に例を挙げながら説明する。
【００６８】
まず、図３を用いて、キャリブレーションデータの送信について説明する。
【００６９】
上述したように、スケジューラ１０６は、通信相手となる各通信端末装置から報告される下り回線のＣＩＲに基づいて、送信すべきデータをスロットに割り当ててスケジューリングを行う。スケジューリングの結果、送信すべきデータは、バッファ１０２に一時的に格納される。
【００７０】
例えば、本実施の形態の基地局装置が通信端末装置Ａ〜Ｄと通信を行う場合、各スロットに、Ａ、Ａ、（なし）、Ｄ、Ａ、Ａ、（なし）、（なし）、Ｂ、Ｂ、（なし）、（なし）、Ｃ、Ｃ、Ｄの順に各通信端末装置に対するデータが割り当てられて送信されるとすると、バッファ１０２には、上記の順で各データが一時的に格納される。なお、（なし）は、送信すべき送信データが無く空きスロットとなることを示し、このとき、バッファ１０２は空であるものとする。
【００７１】
ここで、スケジューラ１０６内のバッファ監視部１０６ａは、常時バッファ１０２を監視しており、バッファ１０２が空になった場合（すなわち、上記の（なし）の場合）に、スイッチ１０６ｂを接続させる。
【００７２】
これにより、送信すべき送信データが無い場合には、バッファ１０４からキャリブレーションデータが送出される。換言すれば、スケジューリングの結果空きスロットとなるスロットにキャリブレーションデータが割り当てられることになる。したがって、スケジューラ１０６からは、図３の紙面向かって左のデータから順に適応符号化部１１０へ出力されることになる。なお、図３において、データ２０２、データ２０４、データ２０６、およびデータ２０８は、キャリブレーションデータを示している。
【００７３】
また、データ２０２は、図４に示すＭＣＳ１の変調方式（ＱＰＳＫ）および符号化率（１／２）で送信され、同様にデータ２０４は、図４に示すＭＣＳ２の変調方式（ＱＰＳＫ）および符号化率（３／４）で送信され、データ２０６は、ＭＣＳ３の変調方式（１６ＱＡＭ）および符号化率（１／２）で送信され、データ２０８は、ＭＣＳ４の変調方式（１６ＱＡＭ）および符号化率（３／４）で送信される。
【００７４】
これらのＭＣＳの選択は、ＭＣＳ選択部１０８によって行われ、適応符号化部１１０および適応変調部１１６によって、選択されたＭＣＳの符号化率および変調方式が用いられることにより、キャリブレーションデータが誤り符号化および変調される。そして、キャリブレーションデータは、拡散部１２２によって拡散される。また、ＭＣＳ選択部１０８によって選択されたＭＣＳの情報（ＭＣＳ情報）は、テーブル書換部１４６へ通知されるとともに、変調部１１４によって変調され、拡散部１２０によって拡散される。
【００７５】
なお、ここでは、キャリブレーションデータを送信する際のＭＣＳとして、図４に示すＭＣＳ１、ＭＣＳ２、ＭＣＳ３、ＭＣＳ４の順に選択するものとしたが、例えば、通信端末装置が特定のＭＣＳでのキャリブレーションデータの送信を要求するためのＭＣＳ要求信号を送信し、基地局装置は、要求されたＭＣＳでキャリブレーションデータを送信しても良い。
【００７６】
キャリブレーションデータとしては、ランダム系列のデータおよび誤り検出符号からなるデータ、ＰＮ（Ｐｓｅｕｄｏ　Ｎｏｉｓｅ）系列などの既知のデータ、ならびに広告用データなどを用いることができる。
【００７７】
これらのうち、ランダム系列および誤り検出符号を用いた場合は、キャリブレーションデータを受信する通信端末装置において、誤り率としてＰＥＲ（パケットエラーレート）を正しく検出することができる。
【００７８】
また、ＰＮ系列などの既知のデータを用いた場合は、通信端末装置において、ＰＥＲのみでなくビット単位の誤り率であるＢＥＲ（ビットエラーレート）まで正しく検出することができる。
【００７９】
さらに、通信端末装置において必ずしも必要とはされていない広告用のデータを用いた場合は、テーブルの更新を行うことができるとともに、空きスロットの有効利用を図ることができる。
【００８０】
また、このように、キャリブレーションデータを空きスロットに割り当てて送信することにより、基地局装置からは常に一定パワの信号が送信されることになる。これにより、本実施の形態の基地局装置が配置されるセルの隣接セルに対して与える干渉量が一定となり、隣接セルにおいては安定した通信を行うことが可能となる。
【００８１】
これは、以下の理由によっている。すなわち、隣接セルからの干渉量がスロットごとに変化すると、それに伴って通信端末装置が測定するＣＩＲが変化するため、ＣＩＲに基づいてＭＣＳを選択する場合に、ＣＩＲを測定する時点での干渉量とＭＣＳを選択する時点での干渉量とが異なることがある。そのため、選択されたＭＣＳが必ずしもデータの送信に最適なＭＣＳでは無いことがあるのに対し、隣接セルからの干渉量が一定であると、ＣＩＲの測定値もほぼ一定になって、最適なＭＣＳを選択できる。
【００８２】
また、スケジューラ１０６は、キャリブレーションデータの宛先を宛先情報生成部１１２へ通知する。キャリブレーションデータの宛先は、基地局装置と通信を行うすべての通信端末装置としても良いし、上述のようにＭＣＳ要求信号を用いる場合は、特定のＭＣＳを要求した通信端末装置としても良い。
【００８３】
そして、宛先情報生成部１１２によって、宛先情報が生成され、宛先情報は、変調部１１８によって変調され、拡散部１２４によって拡散される。拡散後のＭＣＳ情報、キャリブレーションデータ、および宛先情報は、多重部１２６によって多重され、送信ＲＦ部１２８によって所定の無線送信処理（Ｄ／Ａ変換、アップコンバートなど）が行われ、共用器１３０を介してアンテナから送信される。なお、ＭＣＳ情報および宛先情報は、制御チャネルにて送信され、キャリブレーションデータはデータチャネルにて送信される。
【００８４】
送信されたキャリブレーションデータは、宛先情報に含まれている通信端末装置（不図示）によって受信され、通信端末装置（不図示）は、ＭＣＳ情報に基づいてキャリブレーションデータを復調および復号し、下り回線の伝送品質であるＣＩＲとキャリブレーションデータの誤り率を含む報知信号を基地局装置へ送信する。
【００８５】
通信端末装置から送信されたＣＩＲおよび誤り率を含む報知信号は、アンテナから共用器１３０を介して受信され、受信ＲＦ部１３２によって所定の無線受信処理（ダウンコンバート、Ａ／Ｄ変換など）が行われる。そして、受信信号は、通信端末装置ごとに設けられた逆拡散部１３４および逆拡散部１３６によってそれぞれ逆拡散される。そして、受信信号は、復調部１３８によって復調され、ＣＩＲ復号部１４２によって復号され、得られたＣＩＲがスケジューラ１０６、ＭＣＳ選択部１０８、およびテーブル書換部１４６へ通知される。
【００８６】
一方、逆拡散部１３６によって逆拡散された信号は、復調部１４０によって復調され、誤り率復号部１４４によって復号され、得られた誤り率がテーブル書換部１４６へ通知される。そして、テーブル書換部１４６によって、ＭＣＳ選択部１０８から通知されたＭＣＳ（すなわち、キャリブレーションデータの送信に用いられたＭＣＳ）におけるＣＩＲと誤り率の対応関係が、ＣＩＲ復号部１４２から通知されたＣＩＲおよび誤り率復号部１４４から通知された誤り率（すなわち、キャリブレーションデータの実際のＣＩＲおよび誤り率）に基づいて更新された上で、報知信号を送信した通信端末装置に対応するテーブル１４８が更新される。
【００８７】
このように、本実施の形態によれば、スケジューリングの結果、空きスロットが生じた場合は、空きスロットにＭＣＳ選択用テーブルを更新するためのキャリブレーションデータを割り当てて送信するため、通信端末装置は、下り回線の伝送品質と誤り率とを基地局装置へ報告し、基地局装置は、報告された伝送品質および誤り率に応じてＭＣＳ選択用テーブルの更新を正しく実行し、実際の回線状態に応じた最適なＭＣＳを選択することができる。
【００８８】
なお、本実施の形態においては、基地局装置は、空きスロットにキャリブレーションデータを挿入して送信したが、図５に示すように、所定数のスロット単位（図５では、４スロット単位）でキャリブレーションデータを必ず挿入するようにして送信しても良い。これにより、周期的にキャリブレーションデータが送信されることになり、確実にＭＣＳ選択用テーブルの更新を行うことができる。
【００８９】
（実施の形態２）
本発明の実施の形態２の特徴は、通信端末装置が空きスロットを用いてキャリブレーションデータを送信し、上り回線の通信においてＭＣＳを選択する点である。
【００９０】
図６は、実施の形態２に係る通信端末装置の構成を示すブロック図である。同図に示す通信端末装置は、送信部、受信部、およびテーブル更新部から構成されている。
【００９１】
送信部は、切替部３０２、ＭＣＳ選択部３０４、適応符号化部３０６、変調部３０８、適応変調部３１０、拡散部３１２、拡散部３１４、多重部３１６、および送信ＲＦ部３１８から構成されている。
【００９２】
切替部３０２は、送信データおよびキャリブレーションデータを切り替えて、適応符号化部３０６へ出力する。具体的には、送信すべき送信データが無い場合に、キャリブレーションデータを出力する。また、切替部３０２は、キャリブレーションデータを出力する場合、その旨をＭＣＳ選択部３０４へ通知する。
【００９３】
ここで、図７を用いて切替部３０２の内部構成について説明する。
【００９４】
図７に示すように、切替部３０２は、データ監視部３０２ａおよびスイッチ３０２ｂを有している。データ監視部３０２ａは、常に送信データを監視し、送信すべき送信データが無い場合に、スイッチ３０２ｂを接続させる。スイッチ３０２ｂは、通常接続されていない状態にあり、データ監視部３０２ａによって接続されると、キャリブレーションデータを適応符号化部３０６へ送出するようになっている。
【００９５】
再び図６を参照して、本実施の形態に係る通信端末装置の構成を説明する。
【００９６】
ＭＣＳ選択部３０４は、通信相手局である基地局装置（不図示）から報告されるＣＩＲとテーブル３３８とに基づいて、基地局装置における誤り率が所望の誤り率を満たすようなＭＣＳを選択する。また、ＭＣＳ選択部３０４は、キャリブレーションデータが送信される場合、所定の順序でＭＣＳを選択する。ＭＣＳ選択部３０４は、選択したＭＣＳの符号化率および変調方式をそれぞれ適応符号化部３０６および適応変調部３１０へ指示するとともに、当該ＭＣＳを選択した旨を変調部３０８およびテーブル書換部３３６へ通知する。適応符号化部３０６は、ＭＣＳ選択部３０４によって選択されたＭＣＳの符号化率で送信データまたはキャリブレーションデータを誤り符号化する。
【００９７】
変調部３０８は、ＭＣＳ選択部３０４によって選択されたＭＣＳに関する情報（ＭＣＳ情報）を変調する。適応変調部３１０は、ＭＣＳ選択部３０４によって選択されたＭＣＳの変調方式で送信データまたはキャリブレーションデータを変調する。拡散部３１２は、ＭＣＳ情報を拡散する。拡散部３１４は、送信データまたはキャリブレーションデータを拡散する。多重部３１６は、ＭＣＳ情報ならびに送信データまたはキャリブレーションデータを多重する。送信ＲＦ部３１８は、多重部３１６から出力される多重信号に対して所定の無線送信処理（Ｄ／Ａ変換、アップコンバートなど）を行い、共用器３２０からアンテナを介して送信する。
【００９８】
受信部は、受信ＲＦ部３２２、逆拡散部３２４、逆拡散部３２６、復調部３２８、復調部３３０、ＣＩＲ復号部３３２、および誤り率復号部３３４から構成されている。
【００９９】
受信ＲＦ部３２２は、アンテナから共用器３２０を介して受信された受信信号に対して所定の無線受信処理（ダウンコンバート、Ａ／Ｄ変換など）を行う。逆拡散部３２４は、受信信号に含まれる、基地局装置において測定された上り回線のＣＩＲに関する情報を逆拡散する。逆拡散部３２６は、受信信号に含まれる、上り回線を伝送されたデータの誤り率に関する情報を逆拡散する。復調部３２８は、上り回線のＣＩＲに関する情報を復調する。復調部３３０は、上り回線の誤り率に関する情報を復調する。ＣＩＲ復号部３３２は、上り回線のＣＩＲに関する情報を復号し、得られたＣＩＲをＭＣＳ選択部３０４およびテーブル書換部３３６へ通知する。誤り率復号部３３４は、上り回線を伝送されたデータの誤り率に関する情報を復号し、得られた誤り率をテーブル書換部３３６へ通知する。
【０１００】
テーブル更新部は、テーブル書換部３３６およびテーブル３３８から構成されている。
【０１０１】
テーブル書換部３３６は、誤り率と所定の閾値とを比較し、比較の結果、テーブル３３８を更新すべき場合、または、キャリブレーションデータのＣＩＲおよび誤り率が報告された場合に、テーブル３３８を書き換える。ここで、テーブル３３８を更新すべき場合としては、例えば、所望の誤り率を満たすことができるＭＣＳをテーブル３３８から選択して送信データを送信したにも拘わらず、実際に基地局装置から報告された誤り率が所望の誤り率を満たしていない場合などが挙げられる。また、誤り率が所望の誤り率を満たしていないとは、具体的には例えば誤り率が１０％となるようにテーブルを作成したにも拘わらず、実際にデータの送信を行うと、誤り率が１０％より低く例えば１％であったり、逆に誤り率が１０％より高く例えば２０％であったりすることなどである。
【０１０２】
また、テーブル３３８の書き換えに際して、テーブル書換部３３６は、ＭＣＳ選択部３０４から通知されたＭＣＳ（すなわち、データ送信に用いられたＭＣＳ）におけるＣＩＲと誤り率の対応関係を、ＣＩＲ復号部３３２によって復号されたＣＩＲおよび誤り率復号部３３４によって復号された誤り率（すなわち、基地局装置から報告されたＣＩＲおよび誤り率）に基づいて書き換える。
【０１０３】
テーブル３３８は、従来と同様に、所望の誤り率を満たすことができるＭＣＳをＣＩＲに対応づけて示している。
【０１０４】
なお、本実施の形態においては、データの誤り率に基づいてテーブル３３８の更新を行うものとしたが、この他にも例えばスループットや遅延時間など、上り回線におけるデータの伝送品質を示す指標を、所定の閾値と比較した結果に基づいてテーブル３３８を更新するようにしても良い。
【０１０５】
次いで、上記のように構成された通信端末装置の動作について、図８を用いて具体的に例を挙げながら説明する。
【０１０６】
上述したように、切替部３０２は、基地局装置に対して送信すべき送信データが無い場合に、キャリブレーションデータを適応符号化部３０６へ送出する。
【０１０７】
例えば、図８（ａ）に示すように、ＭＣＳ３、ＭＣＳ４、ＭＣＳ３、（なし）、ＭＣＳ３、ＭＣＳ３、ＭＣＳ４、（なし）の順に送信データが送信されるとする。なお、ＭＣＳ３およびＭＣＳ４は、それぞれ送信データに用いられるＭＣＳを示しており、（なし）は、送信すべき送信データが無く空きスロットとなることを示している。
【０１０８】
ここで、切替部３０２内のデータ監視部３０２ａは、常時送信データを監視しており、送信すべき送信データが無い場合（すなわち、上記の（なし）の場合）に、スイッチ３０２ｂを接続させる。
【０１０９】
これにより、送信すべき送信データが無い場合には、キャリブレーションデータが適応符号化部３０６へ送出される。換言すれば、送信すべき送信データが無く空きスロットとなるスロットにキャリブレーションデータが割り当てられることになり、切替部３０２からは、図８（ｂ）の紙面向かって左のデータから順に適応符号化部３０６へ出力されることになる。なお、図８（ｂ）において、データ４０２およびデータ４０４は、それぞれＭＣＳ３およびＭＣＳ４を用いて送信されるキャリブレーションデータを示している。
【０１１０】
キャリブレーションデータに用いるＭＣＳの選択は、ＭＣＳ選択部３０４によって行われ、適応符号化部３０６および適応変調部３１０によって、選択されたＭＣＳの符号化率および変調方式が用いられることにより、キャリブレーションデータが誤り符号化および変調される。そして、キャリブレーションデータは、拡散部３１４によって拡散される。また、ＭＣＳ選択部３０４によって選択されたＭＣＳの情報（ＭＣＳ情報）は、テーブル書換部３３６へ通知されるとともに、変調部３０８によって変調され、拡散部３１２によって拡散される。
【０１１１】
キャリブレーションデータとしては、実施の形態１と同様に、ランダム系列のデータおよび誤り検出符号からなるデータならびにＰＮ系列などの既知のデータなどを用いることができる。
【０１１２】
そして、拡散後のＭＣＳ情報およびキャリブレーションデータは、多重部３１６によって多重され、送信ＲＦ部３１８によって所定の無線送信処理（Ｄ／Ａ変換、アップコンバートなど）が行われ、共用器３２０を介してアンテナから送信される。なお、ＭＣＳ情報は、制御チャネルにて送信され、キャリブレーションデータはデータチャネルにて送信される。
【０１１３】
送信されたキャリブレーションデータは、基地局装置（不図示）によって受信され、基地局装置（不図示）は、ＭＣＳ情報に基づいてキャリブレーションデータを復調および復号し、上り回線の伝送品質であるＣＩＲとキャリブレーションデータの誤り率を含む報知信号を通信端末装置へ送信する。
【０１１４】
基地局装置から送信されたＣＩＲおよび誤り率を含む報知信号は、アンテナから共用器３２０を介して受信され、受信ＲＦ部３２２によって所定の無線受信処理（ダウンコンバート、Ａ／Ｄ変換など）が行われる。そして、受信信号は、逆拡散部３２４および逆拡散部３２６によってそれぞれ逆拡散される。そして、受信信号は、復調部３２８によって復調され、ＣＩＲ復号部３３２によって復号され、得られたＣＩＲがＭＣＳ選択部３０４およびテーブル書換部３３６へ通知される。
【０１１５】
一方、逆拡散部３２６によって逆拡散された信号は、復調部３３０によって復調され、誤り率復号部３３４によって復号され、得られた誤り率がテーブル書換部３３６へ通知される。そして、テーブル書換部３３６によって、ＭＣＳ選択部３０４から通知されたＭＣＳ（すなわち、キャリブレーションデータの送信に用いられたＭＣＳ）におけるＣＩＲと誤り率の対応関係が、ＣＩＲ復号部３３２から通知されたＣＩＲおよび誤り率復号部３３４から通知された誤り率（すなわち、キャリブレーションデータの実際のＣＩＲおよび誤り率）に基づいて更新された上で、テーブル３３８が更新される。
【０１１６】
このように、本実施の形態によれば、送信すべき送信データが無く、空きスロットが生じた場合は、空きスロットにＭＣＳ選択用テーブルを更新するためのキャリブレーションデータを割り当てて送信するため、通信相手局である基地局装置は、上り回線の伝送品質と誤り率とを通信端末装置へ報告し、通信端末装置は、報告された伝送品質および誤り率に応じてＭＣＳ選択用テーブルの更新を正しく実行し、実際の回線状態に応じた最適なＭＣＳを選択することができる。
【０１１７】
（実施の形態３）
本発明の実施の形態３の特徴は、通信端末装置が周期的にキャリブレーションデータを送信し、上り回線の通信においてＭＣＳを選択する点である。
【０１１８】
実施の形態３に係る通信端末装置の構成は、図６に示した実施の形態２に係る通信端末装置と同様であるため、その説明を省略する。ただし、本実施の形態においては、切替部３０２のみが実施の形態２と異なっている。
【０１１９】
切替部３０２は、送信データの有無に関わらず、所定の周期でキャリブレーションデータを出力する。
【０１２０】
図９は、本実施の形態に係る切替部３０２の内部構成を示すブロック図である。
【０１２１】
図９に示すように、切替部３０２は、カウンタ３０２ｃおよびスイッチ３０２ｄを有している。カウンタ３０２ｃは、切替部３０２から送出される送信データを計測し、計測回数が所定の回数に達するたびにスイッチ３０２ｄをキャリブレーションデータ側に切り替える。スイッチ３０２ｄは、通常送信データ側に接続された状態にあり、カウンタ３０２ｃによってキャリブレーションデータ側へ切り替えられると、キャリブレーションデータを適応符号化部３０６へ送出するようになっている。
【０１２２】
次いで、上記のように構成された通信端末装置のキャリブレーションデータの送信動作について、図１０を用いて具体的に例を挙げながら説明する。
【０１２３】
上述したように、切替部３０２は、基地局装置に対して送信すべき送信データの有無に関わらず、所定の周期でキャリブレーションデータを適応符号化部３０６へ送出する。
【０１２４】
すなわち、切替部３０２内のカウンタ３０２ｃは、スイッチ３０２ｄから送信データが送出される回数を計測し、計測回数が所定の回数に達するたびにスイッチ３０２ｄをキャリブレーションデータ側へ切り替える。キャリブレーションデータが送出されると、カウンタ３０２ｃは、再びスイッチ３０２ｄを送信データ側へ切り替える。
【０１２５】
これにより、例えば図１０に示すように、所定の周期（図では８スロット周期）でキャリブレーションデータ（図中「Ｋ」で示す）が適応符号化部３０６へ送出される。
【０１２６】
このように、本実施の形態によれば、送信すべき送信データの有無に関わらず、ＭＣＳ選択用テーブルを更新するためのキャリブレーションデータを周期的に送信するため、ＭＣＳ選択用テーブルをより確実に正確な状態に保つことができ、実際の回線状態に応じた最適なＭＣＳを選択することができる。
【０１２７】
（実施の形態４）
本発明の実施の形態４の特徴は、キャリブレーションデータの送信に用いるＭＣＳをあらかじめ定められた順番で変更するのではなく、受信側からの要求に応じたＭＣＳを用いてキャリブレーションデータを送信する点である。
【０１２８】
図１１は、実施の形態４に係る基地局装置の構成を示すブロック図である。同図に示す基地局装置は、送信部、受信部、およびテーブル更新部から構成されている。なお、図１１に示す基地局装置において、図１に示す基地局装置（実施の形態１）と同じ部分には同じ符号を付し、その説明を省略する。
【０１２９】
送信部は、切替部５０２、ＭＣＳ選択部５０４、適応符号化部１１０、変調部１１４、適応変調部１１６、拡散部１２０、拡散部１２２、多重部１２６、および送信ＲＦ部１２８から構成されている。
【０１３０】
切替部５０２は、送信データおよびキャリブレーションデータを切り替えて、適応符号化部１１０へ出力する。具体的には、切替部５０２は、通常、送信データを送出しているが、後述する受信部内のＭＣＳ要求復号部５１０から特定のＭＣＳの要求を受けた場合に、送信データの送出を一時的に停止し、キャリブレーションデータを送出する。また、切替部５０２は、キャリブレーションデータを出力する場合、その旨をＭＣＳ選択部５０４へ通知する。
【０１３１】
ＭＣＳ選択部５０４は、通信相手局である通信端末装置から報告されるＣＩＲとテーブル１４８とに基づいて、通信端末装置における誤り率が所望の誤り率を満たすようなＭＣＳを選択する。また、ＭＣＳ選択部５０４は、キャリブレーションデータが送信される場合、後述するＭＣＳ要求復号部５１０から通知される特定のＭＣＳを選択する。ＭＣＳ選択部５０４は、選択したＭＣＳの符号化率および変調方式をそれぞれ適応符号化部１１０および適応変調部１１６へ指示するとともに、当該ＭＣＳを選択した旨を変調部１１４およびテーブル書換部１４６へ通知する。
【０１３２】
受信部は、受信ＲＦ部１３２、逆拡散部５０６、逆拡散部１３４、逆拡散部１３６、復調部５０８、復調部１３８、復調部１４０、ＭＣＳ要求復号部５１０、ＣＩＲ復号部１４２、および誤り率復号部１４４から構成されている。
【０１３３】
逆拡散部５０６は、受信信号に含まれる、特定のＭＣＳのキャリブレーションデータを要求する情報を逆拡散する。復調部５０８は、特定のＭＣＳを要求する情報を復調する。ＭＣＳ要求復号部５１０は、特定のＭＣＳを要求する情報を復号し、この情報に含まれる特定のＭＣＳを切替部５０２およびＭＣＳ選択部５０４へ通知する。
【０１３４】
図１２は、実施の形態４に係る通信端末装置の構成を示すブロック図である。同図に示す通信端末装置は、受信部および送信部から構成されている。
【０１３５】
受信部は、受信ＲＦ部６０４、逆拡散部６０６、逆拡散部６０８、復調部６１０、適応復調部６１２、ＭＣＳ情報復号部６１４、適応復号化部６１６、ＣＩＲ測定部６１８、および誤り率検出部６２０から構成されている。
【０１３６】
受信ＲＦ部６０４は、アンテナから共用器６０２を介して受信された受信信号に対して所定の無線受信処理（ダウンコンバート、Ａ／Ｄ変換など）を行う。逆拡散部６０６は、受信信号に含まれる、基地局装置において選択されたＭＣＳの情報（ＭＣＳ情報）を逆拡散する。逆拡散部６０８は、受信信号に含まれる、データまたはキャリブレーションデータを逆拡散する。復調部６１０は、ＭＣＳ情報を復調する。適応復調部６１２は、ＭＣＳ情報復号部６１４から通知されたＭＣＳの変調方式に対応する復調方式でデータまたはキャリブレーションデータを復調する。
【０１３７】
ＭＣＳ情報復号部６１４は、ＭＣＳ情報を復号し、得られたＭＣＳ（すなわち、データまたはキャリブレーションデータの送信に用いられているＭＣＳ）の符号化率および変調方式をそれぞれ適応復調部６１２および適応復号化部６１６へ指示する。適応復号化部６１６は、ＭＣＳ情報復号部６１４から通知されたＭＣＳの符号化率に基づいてデータまたはキャリブレーションデータを誤り復号化する。
【０１３８】
ＣＩＲ測定部６１８は、データまたはキャリブレーションデータのＣＩＲを測定し、後述する送信部内の報知信号生成部６２２へ通知する。誤り率検出部６２０は、データまたはキャリブレーションデータの誤り率を検出し、後述する送信部内の報知信号生成部６２２へ通知するとともに、復号後の受信データを出力する。
【０１３９】
送信部は、報知信号生成部６２２、ＭＣＳ要求生成部６２４、変調部６２６、変調部６２８、拡散部６３０、拡散部６３２、および送信ＲＦ部６３４から構成されている。
【０１４０】
報知信号生成部６２２は、ＣＩＲ測定部６１８によって測定されたＣＩＲおよび誤り率検出部６２０によって検出された誤り率を基地局装置へ報知するための報知信号を生成する。
【０１４１】
ＭＣＳ要求生成部６２４は、特定のＭＣＳのキャリブレーションデータを要求するためのＭＣＳ要求信号を生成する。具体的には、例えばＭＣＳ情報復号部６１４によって復号されたＭＣＳ情報を図示しないメモリに蓄積しておき、ＭＣＳ要求生成部６２４は、所定期間より長い期間使用されていないＭＣＳのキャリブレーションデータを要求するＭＣＳ要求信号を生成する。
【０１４２】
変調部６２６は、データまたはキャリブレーションデータのＣＩＲおよび誤り率を含む報知信号を変調する。変調部６２８は、特定のＭＣＳのキャリブレーションデータを要求するＭＣＳ要求信号を変調する。拡散部６３０は、報知信号を拡散する。拡散部６３２は、ＭＣＳ要求信号を拡散する。送信ＲＦ部６３４は、報知信号またはＭＣＳ要求信号に対して所定の無線送信処理（Ｄ／Ａ変換、アップコンバートなど）を行い、共用器６０２からアンテナを介して送信する。
【０１４３】
次いで、上記のように構成された基地局装置および通信端末装置の動作について説明する。
【０１４４】
まず、通信端末装置によるキャリブレーションデータの要求から基地局装置によるキャリブレーションデータの送信までの動作について説明する。
【０１４５】
通信端末装置のＭＣＳ要求生成部６２４によって、例えば長期間使用されていないＭＣＳなどの特定のＭＣＳのキャリブレーションデータを要求するＭＣＳ要求信号が生成される。生成されたＭＣＳ要求信号は、変調部６２８によって変調され、拡散部６３２によって拡散され、送信ＲＦ部６３４、共用器６０２およびアンテナを介して送信される。
【０１４６】
ＭＣＳ要求信号は、基地局装置のアンテナから共用器１３０を介して受信され、受信ＲＦ部１３２によって所定の無線受信処理が行われた後、逆拡散部５０６によって逆拡散される。そして、ＭＣＳ要求信号は、復調部５０８によって復調され、ＭＣＳ要求復号部５１０によって復号される。ＭＣＳ要求信号が復号された結果、通信端末装置によって要求されているＭＣＳが切替部５０２およびＭＣＳ選択部５０４へ通知される。
【０１４７】
この通知を受け、切替部５０２によって、適応符号化部１１０へキャリブレーションデータが送出され、ＭＣＳ選択部５０４によって、要求されたＭＣＳの符号化率および変調方式がそれぞれ適応符号化部１１０および適応変調部１１６へ指示される。キャリブレーションデータは、適応符号化部１１０および適応変調部１１６によって、それぞれ誤り符号化および変調され、拡散部１２２によって拡散される。
【０１４８】
一方、ＭＣＳ選択部５０４によって選択されたＭＣＳは、テーブル書換部１４６へ通知されるとともに、ＭＣＳ情報として変調部１１４によって変調される。このとき、ＭＣＳ情報として、選択したＭＣＳに関する情報をＭＣＳ情報としても良いが、キャリブレーションデータを送信する場合は、例えば図１３に示すような表に基づき、キャリブレーションデータが送信される旨を示す値（図では「０」）をＭＣＳ情報としても良い。
【０１４９】
本実施の形態においては、キャリブレーションデータを送信する場合にＭＣＳ選択部５０４で選択されるＭＣＳは、通信端末装置から要求されたＭＣＳであるため、再度ＭＣＳ情報によって通信端末装置へ通知する必要がない。したがって、上述のように、キャリブレーションデータが送信される旨をＭＣＳ情報とした場合でも、通信端末装置は、受信したキャリブレーションデータに用いられているＭＣＳに応じた復調および誤り復号化を行うことができる。
【０１５０】
ＭＣＳ情報は、変調部１１４によって変調され、拡散部１２０によって拡散され、多重部１２６によってキャリブレーションデータと多重される。多重されて得られた多重信号は、送信ＲＦ部１２８によって所定の無線送信処理が行われ、共用器１３０を介してアンテナから送信される。なお、ＭＣＳ情報および宛先情報は、制御チャネルにて送信され、キャリブレーションデータはデータチャネルにて送信される。
【０１５１】
次に、通信端末装置によるキャリブレーションデータの受信から基地局装置によるテーブルの更新までの動作について説明する。
【０１５２】
キャリブレーションデータおよび対応するＭＣＳ情報は、通信端末装置のアンテナから共用器６０２を介して受信され、受信ＲＦ部６０４によって所定の無線受信処理が行われた後、ＭＣＳ情報は逆拡散部６０６によって逆拡散され、キャリブレーションデータは逆拡散部６０８によって逆拡散される。
【０１５３】
逆拡散後のＭＣＳ情報は、復調部６１０によって復調され、ＭＣＳ情報復号部６１４によって復号され、得られたＭＣＳの変調方式および符号化率がそれぞれ適応復調部６１２および適応復号化部６１６へ指示される。このとき、上述したように、ＭＣＳ情報として、キャリブレーションデータが送信される旨が送信されている場合は、ＭＣＳ要求生成部６２４から要求したＭＣＳの変調方式および符号化率がそれぞれ指示されるようにすれば良い。
【０１５４】
逆拡散後のキャリブレーションデータは、適応復調部６１２によって復調され、適応復号化部６１６によって誤り復号化される。これらの復調および誤り復号化は、ＭＣＳ情報によって通知されたＭＣＳの変調方式および符号化率に対応して行われる。
【０１５５】
そして、ＣＩＲ測定部６１８によって、キャリブレーションデータのＣＩＲが測定され、誤り率検出部６２０によって、キャリブレーションデータの誤り率が検出されるとともに、キャリブレーションデータが広告用データなどの場合には、復号結果が受信データとして出力される。
【０１５６】
また、キャリブレーションデータのＣＩＲおよび誤り率は、報知信号生成部６２２へ出力され、報知信号が生成される。報知信号は、変調部６２６によって変調され、拡散部６３０によって拡散され、送信ＲＦ部６３４、共用器６０２およびアンテナを介して送信される。
【０１５７】
報知信号は、基地局装置のアンテナから共用器１３０を介して受信され、受信ＲＦ部１３２によって所定の無線受信処理が行われた後、逆拡散部１３４および逆拡散部１３６によって逆拡散され、復調部１３８および復調部１４０によって復調される。そして、ＣＩＲ復号部１４２によって、報知信号に含まれるキャリブレーションデータのＣＩＲが復号され、テーブル書換部１４６へ通知される。また、誤り率復号部１４４によって、報知信号に含まれるキャリブレーションデータの誤り率が復号され、テーブル書換部１４６へ通知される。
【０１５８】
そして、テーブル書換部１４６によって、ＭＣＳ選択部５０４から通知されたＭＣＳ（すなわち、キャリブレーションデータの送信に用いられたＭＣＳを選択）におけるＣＩＲと誤り率の対応関係が、ＣＩＲ復号部１４２から通知されたＣＩＲおよび誤り率復号部１４４から通知された誤り率（すなわち、キャリブレーションデータの実際のＣＩＲおよび誤り率）に基づいて更新された上で、報知信号を送信した通信端末装置に対応するテーブル１４８が更新される。
【０１５９】
このように、本実施の形態によれば、基地局装置は、通信端末装置から要求された場合に、通信端末装置から要求されたＭＣＳを用いてキャリブレーションデータを送信するため、通信端末装置が必要とするＭＣＳに関してＭＣＳ選択用テーブルを更新することができ、ＭＣＳ選択用テーブルの更新を万遍なく行うことができるとともに、必要最小限のキャリブレーションデータのみを送信し、キャリブレーションデータによる回線容量への影響を低減することができる。
【０１６０】
また、キャリブレーションデータを送信する場合のＭＣＳ情報を、ＭＣＳに関する情報ではなく、キャリブレーションデータが送信される旨の情報とした場合には、キャリブレーションデータのＭＣＳを通知する必要がなくなるため、その分の回線容量をデータの送信に使用することが可能となり、データ送信のスループットを向上させることができる。
【０１６１】
（実施の形態５）
本発明の実施の形態５の特徴は、キャリブレーションデータの受信側が、受信したキャリブレーションデータの誤り率を用いてＭＣＳ選択用テーブルを更新する点である。
【０１６２】
図１４は、実施の形態５に係る基地局装置の構成を示すブロック図である。同図に示す基地局装置は、送信部および受信部から構成されている。なお、図１４に示す基地局装置において、図１および図１１に示す基地局装置（実施の形態１および実施の形態４）と同じ部分には同じ符号を付し、その説明を省略する。
【０１６３】
送信部は、切替部５０２、ＭＣＳ決定部７０２、適応符号化部１１０、変調部１１４、適応変調部１１６、拡散部１２０、拡散部１２２、多重部１２６、および送信ＲＦ部１２８から構成されている。
【０１６４】
ＭＣＳ決定部７０２は、後述する受信部内のＭＣＳ候補復号部７０８から通知されるＭＣＳ候補の中から、実際に使用するＭＣＳを決定する。また、ＭＣＳ決定部７０２は、キャリブレーションデータが送信される場合、ＭＣＳ要求復号部から通知される特定のＭＣＳを、実際に使用するＭＣＳとして決定する。ＭＣＳ決定部７０２は、決定したＭＣＳの符号化率および変調方式をそれぞれ適応符号化部１１０および適応変調部１１６へ指示するとともに、当該ＭＣＳに決定した旨を変調部１１４へ通知する。
【０１６５】
受信部は、受信ＲＦ部１３２、逆拡散部５０６、逆拡散部７０４、復調部５０８、復調部７０６、ＭＣＳ要求復号部５１０、およびＭＣＳ候補復号部７０８から構成されている。
【０１６６】
逆拡散部７０４は、受信信号に含まれる、データを送信する際に用いられるＭＣＳの候補の情報を逆拡散する。復調部７０６は、ＭＣＳ候補の情報を復調する。ＭＣＳ候補復号部７０８は、ＭＣＳ候補の情報を復号し、得られたＭＣＳ候補をＭＣＳ決定部７０２へ通知する。
【０１６７】
図１５は、実施の形態５に係る通信端末装置の構成を示すブロック図である。同図に示す通信端末装置は、受信部、テーブル更新部、および送信部から構成されている。なお、図１５に示す通信端末装置において、図１２に示す通信端末装置（実施の形態４）と同じ部分には同じ符号を付し、その説明を省略する。
【０１６８】
テーブル更新部は、テーブル書換部８０２およびテーブル８０４から構成されている。
【０１６９】
テーブル書換部８０２は、誤り率と所定の閾値とを比較し、比較の結果、テーブル８０４を更新すべき場合、または、受信したキャリブレーションデータのＣＩＲおよび誤り率が通知された場合に、テーブル８０４を書き換える。ここで、テーブル８０４を更新すべき場合としては、例えば、所望の誤り率を満たすことができるＭＣＳをテーブル８０４から選択し、ＭＣＳ候補として基地局装置へ通知したにも拘わらず、実際に基地局装置から送信されたデータの誤り率が所望の誤り率を満たしていない場合などが挙げられる。
【０１７０】
また、テーブル８０４の書き換えに際して、テーブル書換部８０２は、ＭＣＳ候補選択部８０６から通知されたＭＣＳ（すなわち、基地局装置からのデータ送信に用いられるＭＣＳ候補）におけるＣＩＲと誤り率の対応関係を、ＣＩＲ測定部６１８によって測定されたＣＩＲおよび誤り率検出部６２０によって検出された誤り率（すなわち、実際に受信したデータのＣＩＲおよび誤り率）に基づいて書き換える。
【０１７１】
なお、本実施の形態においては、ＭＣＳ情報復号部６１４によって得られたＭＣＳがテーブル書換部８０２へ通知される構成にして、テーブル書換部８０２は、ＭＣＳ情報復号部６１４から通知されたＭＣＳ（すなわち、実際に基地局装置からのデータ送信に用いられたＭＣＳ）におけるＣＩＲと誤り率の対応関係を書き換えるようにしても良い。
【０１７２】
テーブル８０４は、従来と同様に、所望の誤り率を満たすことができるＭＣＳをＣＩＲに対応づけて示している。
【０１７３】
送信部は、ＭＣＳ候補選択部８０６、ＭＣＳ要求生成部６２４、変調部８０８、変調部６２８、拡散部８１０、拡散部６３２、および送信ＲＦ部６３４から構成されている。
【０１７４】
ＭＣＳ候補選択部８０６は、通信相手局である基地局装置から送信されたデータのＣＩＲとテーブル８０４とに基づいて、自装置における誤り率が所望の誤り率を満たすようなＭＣＳをＭＣＳ候補として選択する。また、ＭＣＳ候補選択部８０６は、例えば選択したＭＣＳ候補を蓄積しておき、所定期間より長い期間ＭＣＳ候補として選択されていないＭＣＳを特定のＭＣＳとして、ＭＣＳ要求生成部６２４へ通知し、ＭＣＳ要求信号を生成させる。
【０１７５】
変調部８０８は、ＭＣＳ候補選択部８０６によって選択されたＭＣＳ候補を変調する。拡散部８１０は、ＭＣＳ候補を拡散する。
【０１７６】
次いで、上記のように構成された基地局措置および通信端末装置の動作について説明する。
【０１７７】
通信端末装置によるキャリブレーションデータの要求から基地局装置によるキャリブレーションデータの送信までの動作については、実施の形態４と同様であるため、その説明を省略する。
【０１７８】
そこで、まず、通信端末装置によるキャリブレーションデータの受信からテーブルの更新およびＭＣＳ候補の送信までの動作について説明する。
【０１７９】
キャリブレーションデータおよび対応するＭＣＳ情報は、実施の形態４と同様に、それぞれ逆拡散および復調され、キャリブレーションデータのＣＩＲおよび誤り率がテーブル書換部８０２へ出力される。また、ＣＩＲは、ＭＣＳ候補選択部８０６へも出力される。
【０１８０】
そして、テーブル書換部８０２によって、ＭＣＳ候補選択部８０６から通知されたＭＣＳ候補（または、ＭＣＳ情報復号部６１４から通知されたＭＣＳ）におけるＣＩＲと誤り率の対応関係が、ＣＩＲ測定部６１８から通知されたＣＩＲおよび誤り率検出部６２０から通知された誤り率（すなわち、受信したキャリブレーションデータのＣＩＲおよび誤り率）に基づいて更新された上で、テーブル８０４が更新される。
【０１８１】
一方、ＣＩＲ測定部６１８によって測定されたＣＩＲがＭＣＳ候補選択部８０６へ出力されると、ＣＩＲに基づいてテーブル８０４が参照され、所望の誤り率を満たすことができるＭＣＳがＭＣＳ候補として選択される。選択されたＭＣＳ候補の情報は、変調部８０８によって変調され、拡散部８１０によって拡散され、送信ＲＦ部６３４、共用器６０２、およびアンテナを介して送信される。
【０１８２】
次に、基地局装置によるＭＣＳ候補の受信からＭＣＳの決定までの動作について説明する。
【０１８３】
ＭＣＳ候補の情報は、基地局装置のアンテナから共用器１３０を介して受信され、受信ＲＦ部１３２によって所定の無線受信処理が行われた後、逆拡散部７０４によって逆拡散され、復調部７０５によって復調される。
【０１８４】
復調後のＭＣＳ候補の情報は、ＭＣＳ候補復号部７０８によって復号され、得られたＭＣＳ候補がＭＣＳ決定部７０２へ通知される。そして、ＭＣＳ決定部７０２によって、ＭＣＳ候補を実際に使用するＭＣＳとするか否かが判断され、最終的にデータ送信に用いられるＭＣＳが決定される。
【０１８５】
このように、本実施の形態によれば、通信端末装置が有するＭＣＳ選択用テーブルを、通信端末装置が受信したキャリブレーションデータの伝送品質および誤り率に基づいて更新するため、基地局装置から通信端末装置へのデータ送信に用いるＭＣＳ選択用テーブルを通信端末装置が有する場合でも、ＭＣＳ選択用テーブルの更新を正しく実行し、実際の回線状態に応じた最適なＭＣＳを選択することができる。
【０１８６】
なお、上記各実施の形態においては、便宜上、基地局装置対通信端末装置の通信について説明したが、本発明は、基地局装置対基地局装置または通信端末装置対通信端末装置の通信にも用いることができる。
【０１８７】
また、上記実施の形態４、５においては、基地局装置は、通信端末装置からの要求に従って送信データとキャリブレーションデータとを切り替えて送信するものとしたが、実施の形態１〜３と同様に、空きスロットがある時かまたは周期的にキャリブレーションデータを送信するようにしても良い。その場合には、通信端末装置から要求されたＭＣＳを一時的に記憶しておき、キャリブレーションデータの送信タイミングに記憶されたＭＣＳを読み出すようにすれば良い。
【０１８８】
【発明の効果】
以上説明したように、本発明によれば、通信モード選択用テーブルの更新を正しく実行し、実際の回線状態に応じた最適なＭＣＳを選択することができる。
【図面の簡単な説明】
【図１】本発明の実施の形態１に係る基地局装置の構成を示すブロック図
【図２】実施の形態１に係るスケジューラの構成を示すブロック図
【図３】実施の形態１に係るデータのスロット構成の一例を示す図
【図４】実施の形態１に係るＭＣＳの一例を示す図
【図５】実施の形態１に係るデータのスロット構成の他の一例を示す図
【図６】本発明の実施の形態２に係る通信端末装置の構成を示すブロック図
【図７】実施の形態２に係る切替部の構成を示すブロック図
【図８】実施の形態２に係るデータのスロットの構成の一例を示す図
【図９】本発明の実施の形態３に係る切替部の構成を示すブロック図
【図１０】実施の形態３に係るデータのスロットの構成の一例を示す図
【図１１】本発明の実施の形態４に係る基地局装置の構成を示すブロック図
【図１２】実施の形態４に係る通信端末装置の構成を示すブロック図
【図１３】実施の形態４に係るＭＣＳ情報の一例を示す図
【図１４】本発明の実施の形態５に係る基地局装置の構成を示すブロック図
【図１５】実施の形態５に係る通信端末装置の構成を示すブロック図
【図１６】通信モード選択用テーブルの例を示す図
【図１７】従来のデータのスロット構成の一例を示す図
【符号の説明】
１０２、１０４　バッファ
１０６　スケジューラ
１０８、３０４、５０４　ＭＣＳ選択部
１１０、３０６　適応符号化部
１１２　宛先情報生成部
１１６、３１０　適応変調部
１４２、３３２　ＣＩＲ復号部
１４４、３３４　誤り率復号部
１４６、３３６、８０２　テーブル書換部
１４８、３３８、８０４　テーブル
３０２、５０２　切替部
５１０　ＭＣＳ要求復号部
６１２　適応復調部
６１４　ＭＣＳ情報復号部
６１６　適応復号化部
６１８　ＣＩＲ測定部
６２０　誤り率検出部
６２２　報知信号生成部
６２４　ＭＣＳ要求生成部
７０２　ＭＣＳ決定部
７０８　ＭＣＳ候補復号部
８０６　ＭＣＳ候補選択部
【図１】
2004140783.tif 000003
【図２】
2004140783.tif 000004
【図３】
2004140783.tif 000005
【図４】
2004140783.tif 000006
【図５】
2004140783.tif 000007
【図６】
2004140783.tif 000008
【図７】
2004140783.tif 000009
【図８】
2004140783.tif 000010
【図９】
2004140783.tif 000011
【図１０】
2004140783.tif 000012
【図１１】
2004140783.tif 000013
【図１２】
2004140783.tif 000014
【図１３】
2004140783.tif 000015
【図１４】
2004140783.tif 000016
【図１５】
2004140783.tif 000017
【図１６】
2004140783.tif 000018
【図１７】
2004140783.tif 000019